(57)【要約】  映像信号を監視する装置は、Ｘ、Ｙ及びＺ成分を有する映像信号（Ｘ（ｖｉｄｅｏ），Ｙ（ｖｉｄｅｏ），Ｚ（ｖｉｄｅｏ））を入力する手段（１１）と、所定の変換式に従って前記映像信号から、ｘｙ色度図上のｘ及びｙ成分を有する位置（ｘ（ｖｉｄｅｏ），ｙ（ｖｉｄｅｏ））を算出する手段（１３）と、前記位置（５９）を表示する手段（１４）と、を備える。前記手段（１４）は、所定の色基準系に属するＲ、Ｇ及びＢ成分のそれぞれに対応する３つのｘｙ値を結ぶ三角形（５７、５８）、ｘｙ色度図上で人間が視覚可能な範囲（５６）、及び／又は、ｘｖＹＣＣ表示系の範囲のマーカー（６０）を表示することができる。前記手段（１４）は、前記映像信号の色（（ｘ（ｖｉｄｅｏ），ｙ（ｖｉｄｅｏ））が所定の範囲の外側にあるか否か（５１−５４）を表すことができる。ｘｙ色度図は、例えば、ＵＣＳ色度図に変更することもできる。
2008078358.tif 000002
【特許請求の範囲】
【請求項１】
映像信号を監視する装置であって、
Ｘ、Ｙ及びＺ成分を有する映像信号（Ｘ（ｖｉｄｅｏ），Ｙ（ｖｉｄｅｏ），Ｚ（ｖｉｄｅｏ））を入力する手段（１１）と、
所定の変換式に従って前記映像信号から、２次元座標に基づく色度図上の横軸成分及び縦軸成分を有する位置を算出する手段（１３）と、
前記位置を表示する手段（１４）と、
を備える装置。
【請求項２】
請求項１に記載の装置であって、前記色度図は、ｘｙ色度図であり、前記手段（１３）は、ｘｙ色度図上のｘ及びｙ成分を有する（ｘ（ｖｉｄｅｏ）,ｙ（ｖｉｄｅｏ））を算出する、装置。
【請求項３】
請求項１に記載の装置であって、
前記所定の変換式を記憶する手段（１２）を
さらに備える装置。
【請求項４】
請求項１に記載の装置であって、
前記手段（１４）は、横軸（２２、７１）及び／又は縦軸（２３、７２）を表示する、装置。
【請求項５】
請求項４に記載の装置であって、
前記手段（１４）は、各軸の目盛り（２４）及び／又は目盛り数値（２５）を表示する、装置。
【請求項６】
請求項２に記載の装置であって、
前記手段（１４）は、所定の色基準系に属するＲ、Ｇ及びＢ成分のそれぞれに対応する３つのｘｙ値を結ぶ三角形のマーカー（３１）を表示する、装置。
【請求項７】
請求項６に記載の装置であって、
所定の色基準系は、ＩＴＵ−Ｒ７０９（ｓＲＧＢ）、及び各種方式のＲＧＢ表示器の中の少なくとも１つを含む。
【請求項８】
請求項２に記載の装置であって、
前記手段（１４）は、所定の色基準系に属する最大のＲ、Ｇ及びＢ成分に対応する３つのｘｙ値（（ｘ（Ｒｍａｒｋｅｒ），ｙ（Ｒｍａｒｋｅｒ））；（ｘ（Ｇｍａｒｋｅｒ），ｙ（Ｇｍａｒｋｅｒ））；（ｘ（Ｂｍａｒｋｅｒ），ｙ（Ｂｍａｒｋｅｒ）））を表示する、装置。
【請求項９】
請求項１に記載の装置であって、
前記手段（１４）は、色度図上で人間が視覚可能な範囲及び／又はｘｖＹＣＣ表示系の範囲のマーカー（４１、４２、７３）を表示する、装置。
【請求項１０】
請求項２に記載の装置であって、
前記手段（１４）は、前記映像信号の色（（ｘ（ｖｉｄｅｏ），ｙ（ｖｉｄｅｏ））が所定の範囲の外側にあるか否かを表す、装置。
【請求項１１】
請求項１０に記載の装置であって、
前記所定の範囲は、ｘｙ色度図上で人間が視覚可能な範囲及び／又はｘｖＹＣＣ表示系の範囲である、装置。
【請求項１２】
請求項１０に記載の装置であって、
前記所定の範囲は、所定の色基準系に属するＲ、Ｇ及びＢ成分のそれぞれに対応する３つのｘｙ値を結ぶ三角形の範囲である、装置。
【請求項１３】
請求項１０に記載の装置であって、
前記手段（１４）は、ランプ（５１、５２、５３、５４）、マーカー（５６、５０、５７、５８）、及び映像信号の表示（５９）の中の少なくとも１つを利用する、装置。
【請求項１４】
請求項１に記載の装置であって、前記色度図は、ＵＣＳ色度図であり、前記手段（１３）は、ＵＣＳ色度図上のｕ’及びｖ’成分を有する（ｕ’（ｖｉｄｅｏ）,ｖ’（ｖｉｄｅｏ））を算出する、装置。
【請求項１５】
請求項１に記載の装置であって、
前記手段（１４）は、Ｘ、Ｙ及びＺ成分から算出されたＲ、Ｇ及びＢ成分を利用するベクトル表示ないしレベル表示（６２）を表示する、装置。
【請求項１６】
映像信号を監視する方法であって、
Ｘ、Ｙ及びＺ成分を有する映像信号（Ｘ（ｖｉｄｅｏ），Ｙ（ｖｉｄｅｏ），Ｚ（ｖｉｄｅｏ））を準備するステップ（１１、１２）と、
所定の変換式に従って前記映像信号から、２次元座標に基づく色度図上の横軸及び縦軸成分を有する位置を算出するステップ（１３）と、
前記位置を表示するステップ（１４）と、
を含む方法。
【請求項１７】
請求項１６に記載の方法であって、
前記ステップ（１４）は、所定の色基準系に属する最大のＲ、Ｇ及びＢ成分のそれぞれに対応する色度図上の３つの値を結ぶ三角形のマーカー（３１）を表示するステップを含む、方法。
【請求項１８】
請求項１６に記載の方法であって、
前記ステップ（１４）は、前記映像信号の色が所定の範囲の外側にあるか否かを表すステップを含む、方法。
【請求項１９】
請求項１６に記載の方法であって、
第２の所定の変換式に従って前記映像信号から、Ｒ、Ｂ及びＧ成分を算出するステップを、
さらに含む方法。
【請求項２０】
請求項１６に記載の方法であって、
前記ステップ（１４）は、色度図上で人間が視覚可能な範囲及び／又はｘｖＹＣＣ表示系の範囲を表示するステップを含む、方法。
【発明の詳細な説明】
【技術分野】
【０００１】
本発明は、一般に、映像信号を監視する装置及び方法に関連し、より詳細には、Ｘ、Ｙ及びＺ成分を有する映像信号（Ｘ，Ｙ，Ｚ）の色再現領域（カラー・ガマット：Color  Gamut）を監視する装置及び方法に関連する。
【背景技術】
【０００２】
映像信号の色を監視する従来の手法は、例えば、以下に示すものを含む：
（１）Ｙ、Ｃｂ及びＣｒ成分を利用するベクトル表示；
（２）Ｒ、Ｇ及びＢ成分を利用するベクトル表示；
（３）Ｒ、Ｇ及びＢ成分を利用するレベル表示；及び
（４）Ｒ、Ｇ及びＢ成分を利用するガマット表示。【０００３】
Ｙ、Ｃｂ及びＣｒ成分を利用するベクトル表示は、例えば、以下に示す特許文献１の図３、特許文献２の図１、特許文献３の図２及び図５、並びに、特許文献４の図４及び図５に示される。Ｒ、Ｇ及びＢ成分を利用するベクトル表示は、例えば、特許文献５の図１及び特許文献６の図１に示される。Ｒ、Ｇ及びＢ成分を利用するレベル表示は、例えば、特許文献６の図１２及び図１４に示される。Ｒ、Ｇ及びＢ成分を利用するガマット表示は、例えば、特許文献２の図４、特許文献７の図２ａ、図２ｂ及び図２ｃ、並びに、特許文献８の図１に示される。
【特許文献１】米国特許第５，４５５，６２０号明細書（図３）
【特許文献２】米国特許出願公開第２００４／２１８０４４号明細書（図１、図４）
【特許文献３】米国特許出願公開第２００５／０５２５３４号明細書（図２、図５）
【特許文献４】米国特許出願公開第２００４／２６３６２７号明細書（図４、図５）
【特許文献５】米国特許第５，３０７，０８７号明細書（図１）
【特許文献６】米国特許出願公開第２００５／１４０６９０号明細書（図１、図１２、図１４）
【特許文献７】米国特許出願公開第２００４／１６５０６７号明細書（図２ａ、図２ｂ、図２ｃ）
【特許文献８】米国特許第５，３１１，２９５号明細書（図１）
【発明の開示】
【発明が解決しようとする課題】
【０００４】
テレビ局における映像信号は、従来、Ｙ、Ｃｂ及びＣｒ成分ないしＲ、Ｇ及びＢ成分を有している。映像信号のコンテンツは、例えば、テレビ、映画などを含む。２００５年７月２０日、ＤＣＩ（Digital  Cinema  Initiatives）は、デジタルシネマ（Digital  Cinema）の規格（V1.0）を発表し、映画を記録する映像信号の色空間（Color  Space）として、ＳＭＰＴＥ（Society  of  Motion  Picture  and  Television  Engineers）  ＸＹＺを採用した。なお、ＳＭＰＴＥ  ＸＹＺは、ＣＩＥ（１９３１）  ＸＹＺと同じであり、ＣＩＥ（Commission  International  de  L'Eclairage）（１９３１）  ＸＹＺは、ＣＩＥによって１９３１年に定められた、色を表現するための刺激値である。上記特許文献１〜８に開示される装置又は方法だけでは、Ｘ、Ｙ及びＺ成分を有する映像信号を監視することはできない。【０００５】
本発明の目的は、以下の事項の少なくとも１つを含む：
デジタルシネマ規格に従う映像信号の色を監視する装置（又は方法）の提供；
簡易に映像信号を監視する装置（又は方法）の提供；及び
以下に述べる実施形態及び添付の図面を参照することによって、当業者に明らかになる事項。
【課題を解決するための手段】
【０００６】
本発明の装置は、Ｘ、Ｙ及びＺ成分を有する映像信号（Ｘ（ｖｉｄｅｏ），Ｙ（ｖｉｄｅｏ），Ｚ（ｖｉｄｅｏ））を入力する手段（１１）と、所定の変換式に従って前記映像信号から、ｘｙ色度図上のｘ及びｙ成分を有する位置（ｘ（ｖｉｄｅｏ），ｙ（ｖｉｄｅｏ））を算出する手段（１３）と、前記位置を表示する手段（１４）と、を備える。【０００７】
前記手段（１４）は、所定の色基準系に属するＲ、Ｇ及びＢ成分のそれぞれに対応する３つのｘｙ値を結ぶ三角形のマーカー（３１）を表示することができる。また、前記手段（１４）は、ｘｙ色度図上で人間が視覚可能な範囲及び／又はｘｖＹＣＣ表示系の範囲のマーカー（４１、４２）を表示することができる。【０００８】
前記手段（１４）は、前記映像信号の色（（ｘ（ｖｉｄｅｏ），ｙ（ｖｉｄｅｏ））が所定の範囲の外側にあるか否かを表すことができる。【０００９】
本発明の方法は、Ｘ、Ｙ及びＺ成分を有する映像信号（Ｘ（ｖｉｄｅｏ），Ｙ（ｖｉｄｅｏ），Ｚ（ｖｉｄｅｏ））を準備するステップ（１１、１２）と、所定の変換式に従って前記映像信号から、ｘｙ色度図上のｘ及びｙ成分を有する位置（ｘ（ｖｉｄｅｏ），ｙ（ｖｉｄｅｏ））を算出するステップ（１３）と、前記位置を表示するステップ（１４）と、を含む。【００１０】
ｘｙ色度図は、例えば、ＵＣＳ色度図に変更することもできる。
【図面の簡単な説明】
【００１１】
【図１】本発明の装置のブロック図の概略を示す。
【図２】ユーザが視覚することができる手段１４の表示例を示す。
【図３】ユーザが視覚することができる手段１４の表示例を示す。
【図４】ユーザが視覚することができる手段１４の表示例を示す。
【図５】ユーザが視覚することができる手段１４の表示例を示す。
【図６】ユーザが視覚することができる手段１４の表示例を示す。
【図７】ユーザが視覚することができる手段１４の表示例を示す。
【発明を実施するための最良の形態】
【００１２】
Ｘ、Ｙ及びＺ成分を有する映像信号の色再現領域（カラー・ガマット：Color  Gamut）を監視する場合、３次元空間を利用することができる。しかしながら、本発明者らは、３次元空間によって色を監視することは、困難であると認識した。言い換えれば、本発明者らは、３次元空間内に表現される位置から色を把握することは、困難であると認識した。そこで、本発明者らは、色を特定ないし把握し易い２次元座標系（具体的にはｘｙ色度図、ＵＣＳ色度図など）を用いることによって、ユーザは映像信号を簡易に監視することができるであろうと認識した。【００１３】
（１．ｘ及びｙ成分を利用するベクトル表示）
図１は、本発明の装置のブロック図の概略を示す。図１に示すように、本発明の装置１０（例えば、波形表示装置（waveform  monitor）など）は、Ｘ、Ｙ及びＺ成分を有する映像信号（Ｘ（ｖｉｄｅｏ），Ｙ（ｖｉｄｅｏ），Ｚ（ｖｉｄｅｏ））を入力する手段１１（例えば、入力端子など）と、変換式を記憶する手段１２（例えば、メモリ、ＨＤＤ（Hard  Disk  Drive）など）と、変換式を読み出し、映像信号（Ｘ（ｖｉｄｅｏ），Ｙ（ｖｉｄｅｏ），Ｚ（ｖｉｄｅｏ））からｘｙ色度図上のｘ及びｙ成分を有する位置（ｘ（ｖｉｄｅｏ），ｙ（ｖｉｄｅｏ））を算出する手段１３（例えば、ＣＰＵなど）と、位置（ｘ（ｖｉｄｅｏ），ｙ（ｖｉｄｅｏ））を表示する手段１４（例えば、ディスプレイなど）と、を有する。【００１４】
Ｘ、Ｙ及びＺ成分からｘ及びｙ成分への変換式は、以下の通りである；
ｘ＝Ｘ／（Ｘ＋Ｙ＋Ｚ）；及び
ｙ＝Ｙ／（Ｘ＋Ｙ＋Ｚ）。【００１５】
ｘｙ色度図上の位置は、色相と彩度を表すので、ユーザは、ｘｙ色度図上の位置の色を容易に把握することができる。言い換えれば、本発明の装置１０は、ｘｙ色度図上に映像信号を描くことによって、簡易に映像信号を監視する装置である。【００１６】
図２は、ユーザが視覚することができる手段１４の表示例を示す。上述の通り、手段１４は、位置（ｘ（ｖｉｄｅｏ），ｙ（ｖｉｄｅｏ））を表示する（矢印２１参照）。なお、映像信号のＸ、Ｙ及びＺ成分は、一般に、動的であるので、図２中の位置（２１）は、動き回る。手段１４は、位置（ｘ（ｖｉｄｅｏ），ｙ（ｖｉｄｅｏ））を所定の時間だけ表示することにより、位置の残像を表示することができる。言い換えれば、手段１４は、映像信号を雲（動き回る点の集合）のように表示することができる。【００１７】
位置（ｘ（ｖｉｄｅｏ），ｙ（ｖｉｄｅｏ））の色は、単色（例えば、緑色）であってもよく、ｘｙ色度図上の色に対応して変化する色であってもよい。【００１８】
（２．ｘｙ座標表示）
図２に示すように、手段１４は、ｘ座標軸（矢印２２）及びｙ座標軸（矢印２３）を表示することができる。手段１２は、ｘ座標軸データ及びｙ座標軸データを記憶し、手段１３は、ｘ座標軸データ及びｙ座標軸データを読み出し、手段１４に出力する。或いは、手段１３は、ｘ座標軸データ及びｙ座標軸データを生成する。ｘ座標軸データ及びｙ座標軸データのそれぞれの範囲は、０〜１に設定することができる。なお、ｘ座標軸データ及びｙ座標軸データのそれぞれの最大値は、１よりも小さくしてもよい。或いは、ｘ座標軸データ及びｙ座標軸データのそれぞれの最大値は、ｘｙ色度図上で人間が視覚可能な範囲の最大値の近く（例えば、ｘ＝０．７５、ｙ＝０．８５）に設定してもよい。【００１９】
手段１４はさらに、目盛り（矢印２４）（及び目盛り数値（矢印２５））を表示することができる。手段１２（或いは手段１３）は、ｘ座標軸データ及びｙ座標軸データのそれぞれの範囲に対応する目盛りデータ（及び目盛り数値データ）を記憶（或いは生成）する。目盛りデータは、例えば、０．１を単位する。目盛り数値データは、例えば、０．５を単位する。【００２０】
ｘ座標軸、ｙ座標軸、目盛り及び数値の色は、任意の色とすることが可能であり、例えば、白色に設定することができる。ｘ座標軸、ｙ座標軸、目盛り、及び／又は数値が表示されることによって、ユーザは、ｘｙ色度図上の位置の色をより容易に把握することができる。【００２１】
（３．色基準マーカー表示）
図３は、ユーザが視覚することができる手段１４の表示例を示す。図３に示すように、手段１４は、所定の色基準系に属する最大のＲ、Ｇ及びＢ成分に対応する３つのｘｙ値を結ぶ三角形のマーカー（矢印３１）を表示することができる。所定の基準系は、例えば、ＩＴＵ−Ｒ７０９（ｓＲＧＢ）、ＲＧＢで表示する各種表示装置（例えば映写用プロジェクタ）の特性を含む。所定の基準系が表示されることによって、ユーザは、ｘｙ色度図上の位置の色をより容易に把握することができる。【００２２】
手段１２は、所定の基準系に属する最大のＲ、Ｇ及びＢ成分（Ｒｍａｘ（ｍａｒｋｅｒ），Ｇｍａｘ（ｍａｒｋｅｒ），Ｂｍａｘ（ｍａｒｋｅｒ））に対応するＸＹＺ値又はｘｙ値を記憶することができる。ＸＹＺ値が記憶される場合、手段１３は、変換式を用いて、ＸＹＺ値（Ｘ（ｍａｒｋｅｒ），Ｙ（ｍａｒｋｅｒ），Ｚ（ｍａｒｋｅｒ））からｘｙ色度図上のｘ及びｙ値（ｘ（ｍａｒｋｅｒ），ｙ（ｍａｒｋｅｒ））を算出する。【００２３】
最大のＲ成分に関して、ＸＹＺ値は、（Ｘ（Ｒｍａｒｋｅｒ），Ｙ（Ｒｍａｒｋｅｒ），Ｚ（Ｒｍａｒｋｅｒ）として表すことができる。最大のＧ成分に関して、ＸＹＺ値は、（Ｘ（Ｇｍａｒｋｅｒ），Ｙ（Ｇｍａｒｋｅｒ），Ｚ（Ｇｍａｒｋｅｒ）として表すことができる。最大のＢ成分に関して、ＸＹＺ値は、（Ｘ（Ｂｍａｒｋｅｒ），Ｙ（Ｂｍａｒｋｅｒ），Ｚ（Ｂｍａｒｋｅｒ）として表すことができる。最大のＲ成分に関して、ｘｙ値は、（ｘ（Ｒｍａｒｋｅｒ），ｙ（Ｒｍａｒｋｅｒ））として表すことができる。最大のＧ成分に関して、ｘｙ値は、（ｘ（Ｇｍａｒｋｅｒ），ｙ（Ｇｍａｒｋｅｒ））として表すことができる。最大のＢ成分に関して、ｘｙ値は、（ｘ（Ｂｍａｒｋｅｒ），ｙ（Ｂｍａｒｋｅｒ））として表すことができる。【００２４】
手段１２（或いは手段１３）は、複数の所定の基準系に対応するＸＹＺ値又はｘｙ値を記憶（或いは算出）することができる。具体的には、（第１の）所定の基準系がＩＴＵ−Ｒ７０９（ｓＲＧＢ）である場合、ＸＹＺ値とＲＧＢ値との関係は、以下の通りである：
Ｘ＝0.412×Ｒ＋0.358×Ｇ＋0.181×Ｂ；
Ｙ＝0.213×Ｒ＋0.715×Ｇ＋0.072×Ｂ；及び
Ｚ＝0.019×Ｒ＋0.119×Ｇ＋0.951×Ｂ。【００２５】
この式に従えば、（第１の）所定の基準系がＩＴＵ−Ｒ７０９（ｓＲＧＢ）である場合、最大のＲ、Ｇ及びＢ成分に対応するＸＹＺ値、又は、このＸＹＺ値から算出されるｘｙ値は、以下の通りである：
最大Ｒ成分について
Ｘ（Ｒｍａｒｋｅｒ１）＝0.412，
Ｙ（Ｒｍａｒｋｅｒ１）＝0.213，
Ｚ（Ｒｍａｒｋｅｒ１）＝0.019，又は
ｘ（Ｒｍａｒｋｅｒ１）＝0.640，
ｙ（Ｒｍａｒｋｅｒ１）＝0.330；
最大Ｇ成分について
Ｘ（Ｇｍａｒｋｅｒ１）＝0.358，
Ｙ（Ｇｍａｒｋｅｒ１）＝0.715，
Ｚ（Ｇｍａｒｋｅｒ１）＝0.119，又は
ｘ（Ｇｍａｒｋｅｒ１）＝0.300，
ｙ（Ｇｍａｒｋｅｒ１）＝0.600；及び
最大Ｂ成分について
Ｘ（Ｂｍａｒｋｅｒ１）＝0.181，
Ｙ（Ｂｍａｒｋｅｒ１）＝0.072，
Ｚ（Ｂｍａｒｋｅｒ１）＝0.951，又は
ｘ（Ｂｍａｒｋｅｒ１）＝0.150，
ｙ（Ｂｍａｒｋｅｒ１）＝0.060。【００２６】
手段１４は、複数の所定の色基準系に対応する複数の三角形のマーカーを表示することができる。代替的に、手段１４は、複数の所定の色基準系の中からユーザによって選択された１つに対応する１つの三角形のマーカーを表示することができる。所定の色基準系に対応する三角形のマーカーの色は、任意の色とすることができ、例えば、青色である。例えば、２つの三角形のマーカーが表示される場合、例えば、第１のマーカーの色は、青色であり、第２のマーカーの色は、緑色である。【００２７】
（４．視覚可能範囲マーカー表示、ｘｖＹＣＣ表示可能マーカー表示系）
図４は、ユーザが視覚することができる手段１４の表示例を示す。図４に示すように、手段１４は、ｘｙ色度図上で人間が視覚可能な範囲のマーカー（矢印４１）を表示することができる。手段１４は、このマーカー（矢印４１）に代えて、或いは、このマーカー（矢印４１）に加えて、ｘｖＹＣＣ（ＩＥＣ６１９６６−２−４）に基づくｘｙ色度図上の色再現範囲のマーカー（矢印４２）を表示することができる。なお、ｘｖＹＣＣ（ＩＥＣ６１９６６−２−４）は、ＩＥＣ（International  Electrotechnical  Commission）によって定められた動画用拡張色空間である。【００２８】
ｘｙ色度図上で人間が視覚可能な範囲のマーカーが表示されることによって、ユーザは、ｘｙ色度図上の位置の色をより容易に把握することができる。ｘｖＹＣＣ（ＩＥＣ６１９６６−２−４）に基づくｘｙ色度図上の色再現範囲のマーカーが表示されることによって、ユーザは、ｘｙ色度図上に写像された、動画用拡張色空間内の位置の色を容易に把握することができる。【００２９】
これらのマーカーは、範囲の外縁だけを表すものであってもよく、範囲のすべてを表すものであってもよい。マーカーが、範囲の外縁だけを表す場合、その外縁の色は、単色（例えば、白色）であってもよく、そのマーカーが、人間によって視覚可能な範囲を示す場合、その外縁の色は、ｘｙ色度図上の色に対応して変化する色であってもよい。マーカーが、範囲のすべて（内側を含む）を表す場合、その内部の色は、単色（例えば、白色）であってもよく、そのマーカーが、人間によって視覚可能な範囲を示す場合、その内部の色は、ｘｙ色度図上の色に対応して変化する色であってもよい。【００３０】
手段１２（或いは手段１３）は、ｘｙ色度図上で人間が視覚可能な範囲（及び／又はｘｖＹＣＣ（ＩＥＣ６１９６６−２−４）に基づくｘｙ色度図上の色再現範囲）のマーカーのデータを記憶（或いは生成）する。【００３１】
（５．ｘ及びｙ成分を利用するガマット表示）
図５は、ユーザが視覚することができる手段１４の表示例を示す。図５に示すように、手段１４（手段１３）は、映像信号の色（ｘｙ色度図上のｘ及びｙ成分を有する位置（ｘ（ｖｉｄｅｏ），ｙ（ｖｉｄｅｏ）））が所定の範囲の外側にあるか否かを表す（判定）ことができる。映像信号の色が所定の範囲の外側にあるか否かが自動的に表示されることによって、ユーザは、ｘｙ色度図上の位置の色をより容易に把握することができる。所定の範囲は、例えば、ｘｙ色度図上で人間が視覚可能な範囲、ｘｖＹＣＣ規格に基づく表示可能な範囲、所定の色基準系に属する最大のＲ、Ｇ及びＢ成分に対応する３つのｘｙ値を結ぶ三角形の範囲などを含む。【００３２】
具体的には、所定の範囲が、例えば、ｘｙ色度図上で人間が視覚可能な範囲である場合、手段１４は、映像信号の色が、ｘｙ色度図上で人間が視覚可能な範囲の外側にあるか否かを、例えばランプ（矢印５１）、マーカー（矢印５６）、映像信号の表示（矢印５９）などを用いて、表すことができる。例えば、映像信号の色が、ｘｙ色度図上で人間が視覚可能な範囲の外側にある場合、手段１４は、ランプの色を例えば赤色で点灯又は点滅させ（矢印５１）；ｘｙ色度図上で人間が視覚可能な範囲のマーカーの色を例えば赤色で点灯又は点滅させ（矢印５６）；及び／又は、映像信号の表示の色を例えば赤色で点灯又は点滅させる（矢印５９）。映像信号の色が、ｘｙ色度図上で人間が視覚可能な範囲の外側にない場合、手段１４は、ランプの色を例えば緑色で点灯又は点滅させ（矢印５１）；ｘｙ色度図上で人間が視覚可能な範囲のマーカーの色を例えば緑色で点灯又は点滅させ（矢印５６）；及び／又は、映像信号の表示の色を例えば白色で点灯又は点滅させる（矢印５９）。なお、ランプ（矢印５１）を識別するために、手段１４は、所定の範囲がｘｙ色度図上で人間が視覚可能な範囲であることを表す目印（例えば、文字（例えば「ｖｉｓｉｂｌｅ（矢印５５）」）、記号、図形など）を表示することができる。【００３３】
所定の範囲が、ｘｖＹＣＣ規格に基づく表示可能な範囲（ｘ≦1.0且つｙ≦1.0）である場合、手段１４は、映像信号の色が、その範囲の外側にあるか否かを、例えばランプ（矢印５２）、マーカー（矢印５０）、映像信号の表示（矢印５９）などを用いて、表すことができる。例えば、映像信号の色が、ｘｖＹＣＣ規格に基づく表示可能な範囲の外側にある場合、手段１４は、ランプの色を例えば赤色で点灯又は点滅させ（矢印５２）；ｘｖＹＣＣ規格に基づく表示可能な範囲のマーカーの色を例えば赤色で点灯又は点滅させ（矢印５０）；及び／又は、映像信号の表示の色を例えば赤色で点灯又は点滅させる（矢印５９）。そうでない場合、手段１４は、ランプの色を例えば緑色で点灯又は点滅させ（矢印５２）；ｘｖＹＣＣ規格に基づく表示可能な範囲のマーカーの色を例えば緑色で点灯又は点滅させ（矢印５０）；及び／又は、映像信号の表示の色を例えば白色で点灯又は点滅させる（矢印５９）。なお、ランプ（矢印５２）を識別するために、手段１４は、所定の範囲がｘｖＹＣＣ規格に基づく表示可能な範囲であることを表す目印（例えば、文字（例えば「ｘｖＹＣＣ」）、記号、図形など）を表示することができる。【００３４】
所定の範囲が、ＩＴＵ−Ｒ７０９（ｓＲＧＢ）に属する最大のＲ、Ｇ及びＢ成分に対応する３つのｘｙ値を結ぶ三角形の範囲である場合、手段１４は、映像信号の色が、ｓＲＧＢに対応するその三角形の範囲の外側にあるか否かを、例えばランプ（矢印５３）、マーカー（矢印５７）、映像信号の表示（矢印５９）などを用いて、表すことができる。例えば、映像信号の色が、ｓＲＧＢに対応する三角形の範囲の外側にある場合、手段１４は、ランプの色を例えば赤色で点灯又は点滅させ（矢印５３）；ｓＲＧＢに対応する三角形の範囲のマーカーの色を例えば赤色で点灯又は点滅させ（矢印５７）；及び／又は、映像信号の表示の色を例えば赤色で点灯又は点滅させる（矢印５９）。そうでない場合、手段１４は、ランプの色を例えば緑色で点灯又は点滅させ（矢印５３）；ｓＲＧＢに対応する三角形の範囲のマーカーの色を例えば緑色で点灯又は点滅させ（矢印５７）；及び／又は、映像信号の表示の色を例えば白色で点灯又は点滅させる（矢印５９）。なお、ランプ（矢印５３）を識別するために、手段１４は、所定の範囲がｓＲＧＢに対応する三角形の範囲であることを表す目印（例えば、文字（例えば「ｓＲＧＢ」）、記号、図形など）を表示することができる。【００３５】
所定の範囲が、ＩＴＵ−Ｒ７０９（ｓＲＧＢ）の三角形（第１三角形）以外の第２三角形（例えば、ｘ社の型番「ＸＸ」プロジェクタ）の範囲である場合、手段１４は、映像信号の色が、第２三角形の範囲の外側にあるか否かを、例えばランプ（矢印５４）、マーカー（矢印５８）、映像信号の表示（矢印５９）などを用いて、表すことができる。【００３６】
手段１４は、映像信号の色が複数の所定の範囲のそれぞれの外側にあるか否かを表すことができる。映像信号の表示（矢印５９）によってガマット・エラーを表す場合、手段１４は、複数の所定の範囲の中からユーザによって選択された１つに対応して、映像信号の表示の色を点灯又は点滅させることができる。【００３７】
ｘ座標軸データ及びｙ座標軸データのそれぞれの最大値は、１よりも小さくしてもよい。或いは、なお、図５に示されるｘ座標軸データ及びｙ座標軸データのそれぞれの最大値は、ｘｙ色度図上で人間が視覚可能な範囲の最大値の近くであるが、他の値（例えば、１）に設定してもよい。【００３８】
（６．Ｒ、Ｇ及びＢ成分を利用するベクトル表示ないしレベル表示）
図６は、ユーザが視覚することができる手段１４の表示例を示す。図６に示すように、手段１４は、Ｘ、Ｙ及びＺ成分から算出された（所定の色基準系（例えば、ｓＲＧＢ、矢印６１）に属する）Ｒ、Ｇ及びＢ成分を利用するベクトル表示ないしレベル表示（矢印６２）を表示することができる。【００３９】
手段１２は、Ｘ、Ｙ及びＺ成分からＲ、Ｇ及びＢ成分への変換式を記憶する。手段１２は、複数の所定の色基準系に対応する変換式を記憶することができる。例えば、所定の色基準系がｓＲＧＢである場合、変換式は、以下の通りである；
Ｒ＝  3.2410×Ｘ−1.537×Ｙ−0.4986×Ｚ；
Ｇ＝−0.9692×Ｘ＋1.876×Ｙ＋0.0416×Ｚ；及び
Ｂ＝  0.0556×Ｘ−0.204×Ｙ＋1.057×Ｚ。【００４０】
手段１３は、（ユーザからの選択に従って）変換式を読み出し、映像信号（Ｘ（ｖｉｄｅｏ），Ｙ（ｖｉｄｅｏ），Ｚ（ｖｉｄｅｏ））からＲ、Ｇ及びＢ成分を算出する。手段１３は、Ｒ、Ｇ及びＢ成分を利用するベクトル表示ないしレベル表示の内容に応じて、ガンマ補正、マトリクス変換等の必要な計算を実行する。なお、Ｒ、Ｇ及びＢ成分から色差成分に変換する変換式を用いるベクトル表示ないしレベル表示は、当業者によって知られているので、その説明を省略する。上記特許文献１〜８に対応する米国特許出願は、参照により本明細書に組み入れられる。【００４１】
Ｒ、Ｇ及びＢ成分を利用するベクトル表示ないしレベル表示が表示されることによって、ユーザは、映像信号の色を簡易的に把握することができる。【００４２】
（７．その他）
なお、本発明は、上述の例示的な実施形態に限定されず、また、当業者は、上述の例示的な実施形態を特許請求の範囲に含まれる範囲まで、容易に変更することができるであろう。【００４３】
例えば、上述の例示的な実施形態において使用されたｘｙ色度図を、色空間を表す２次元座標に基づく色度図（例えば、ＵＣＳ色度図）に変更してもよい。【００４４】
ＵＣＳ色度図は、ＣＩＥによって１９７６年に定められ、以下のような関係式を示す：
ｕ’＝４Ｘ／（Ｘ＋１５Ｙ＋３Ｚ）＝４ｘ（−２ｘ＋１２ｙ＋３）；及び
ｖ’＝９Ｙ／（Ｘ＋１５Ｙ＋３Ｚ）＝９ｙ（−２ｘ＋１２ｙ＋３）。【００４５】
図７は、図５におけるｘｙ色度図から変更されたＵＣＳ色度図を表す。すなわち、図５におけるｘ軸及びｙ軸は、図７におけるｕ’軸７１及びｖ’軸７２に対応する。また、図５中のｘｙ色度図上で人間が視覚可能な範囲５６は、図７中のＵＣＳ色度図上で人間が視覚可能な範囲７３に対応する。なお、最大Ｒ成分について、ｕ’（Ｒｍａｒｋｅｒ１）＝0.448，ｖ’（Ｒｍａｒｋｅｒ１）＝0.520；最大Ｇ成分について、ｕ’（Ｇｍａｒｋｅｒ１）＝0.128，ｖ’（Ｇｍａｒｋｅｒ１）＝0.560；及び、最大Ｂ成分について、ｕ’（Ｂｍａｒｋｅｒ１）＝0.176，ｖ’（Ｂｍａｒｋｅｒ１）＝0.160である。【００４６】
また、図５中のマーカー５０、５７、５８及び映像信号の表示５９は、マーカー７３と同様に、ＵＣＳ色度図上に表すことができる。
【図１】
2008078358.tif 000003
【図２】
2008078358.tif 000004
【図３】
2008078358.tif 000005
【図４】
2008078358.tif 000006
【図５】
2008078358.tif 000007
【図６】
2008078358.tif 000008
【図７】
2008078358.tif 000009
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
動的な映像信号を監視する装置であって、
Ｘ、Ｙ及びＺ成分を有する動的な映像信号（Ｘ（ｖｉｄｅｏ），Ｙ（ｖｉｄｅｏ），Ｚ（ｖｉｄｅｏ））を入力する手段（１１）と、
所定の変換式に従って前記映像信号から、ｘｙ色度図上のｘ成分及びｙ成分を有する（ｘ（ｖｉｄｅｏ），ｙ（ｖｉｄｅｏ））位置を算出する手段（１３）と、
前記映像信号の色（ｘ（ｖｉｄｅｏ），ｙ（ｖｉｄｅｏ））が所定の範囲の外側にあるか否かを判断して、前記位置および前記所定の範囲を表示するとともに、表示の色により前記判断の結果を表示する手段（１４）と、
を備える装置。
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
請求項１に記載の装置であって、
前記所定の範囲は、ｘｙ色度図上で人間が視覚可能な範囲及び／又はｘｖＹＣＣ表示系の範囲である、装置。
【請求項１２】
請求項１に記載の装置であって、
前記所定の範囲は、所定の色基準系に属するＲ、Ｇ及びＢ成分のそれぞれに対応する３つのｘｙ値を結ぶ三角形の範囲である、装置。
【請求項１３】
請求項１に記載の装置であって、
前記手段（１４）は、ランプ（５１、５２、５３、５４）、マーカー（５６、５０、５７、５８）、及び映像信号の表示（５９）の中の少なくとも１つの表示の色により前記判断の結果を表示する、装置。
【請求項１４】
（削除）
【請求項１５】
（削除）
【請求項１６】
動的な映像信号を監視する方法であって、
Ｘ、Ｙ及びＺ成分を有する動的な映像信号（Ｘ（ｖｉｄｅｏ），Ｙ（ｖｉｄｅｏ），Ｚ（ｖｉｄｅｏ））を準備するステップ（１１、１２）と、
所定の変換式に従って前記映像信号から、ｘｙ色度図上のｘ成分及びｙ成分を有する（ｘ（ｖｉｄｅｏ），ｙ（ｖｉｄｅｏ））位置を算出するステップ（１３）と、
前記映像信号の色（ｘ（ｖｉｄｅｏ），ｙ（ｖｉｄｅｏ））が所定の範囲の外側にあるか否かを判断して、前記位置および前記所定の範囲を表示するとともに、表示の色により前記判断の結果を表示するステップ（１４）と、
を含む方法。
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
動的な映像信号を監視する装置であって、
Ｘ、Ｙ及びＺ成分を有する動的な映像信号（Ｘ（ｖｉｄｅｏ），Ｙ（ｖｉｄｅｏ），Ｚ（ｖｉｄｅｏ））を入力する手段（１１）と、
所定の変換式に従って前記映像信号から、ｘｙ色度図上のｘ成分及びｙ成分を有する（ｘ（ｖｉｄｅｏ）,ｙ（ｖｉｄｅｏ））位置を算出する手段（１３）と、
前記映像信号の色（ｘ（ｖｉｄｅｏ），ｙ（ｖｉｄｅｏ））が所定の範囲の外側にあるか否かを判断して、前記位置および前記所定の範囲を表示するとともに、表示の色により前記判断の結果を表示する手段（１４）と、
を備える装置。
【請求項２】
請求項１に記載の装置であって、
前記所定の範囲は、ｘｙ色度図上で人間が視覚可能な範囲、または、ｘｖＹＣＣ表示系の範囲である、装置。
【請求項３】
請求項１に記載の装置であって、
前記所定の範囲は、所定の色基準系に属するＲ、Ｇ及びＢ成分のそれぞれに対応する３つのｘｙ値を結ぶ三角形の範囲である、装置。
【請求項４】
請求項１に記載の装置であって、
前記手段（１４）は、ランプ（５１、５２、５３、５４）、マーカー（５６、５０、５７、５８）、及び映像信号の表示（５９）の中の少なくとも１つの表示の色により前記判断の結果を表示する、装置。
【請求項５】
動的な映像信号を監視する方法であって、
Ｘ、Ｙ及びＺ成分を有する動的な映像信号（Ｘ（ｖｉｄｅｏ），Ｙ（ｖｉｄｅｏ），Ｚ（ｖｉｄｅｏ））を準備するステップ（１１、１２）と、
所定の変換式に従って前記映像信号から、ｘｙ色度図上のｘ成分及びｙ成分を有する（ｘ（ｖｉｄｅｏ）,ｙ（ｖｉｄｅｏ））位置を算出するステップ（１３）と、
前記映像信号の色（ｘ（ｖｉｄｅｏ），ｙ（ｖｉｄｅｏ））が所定の範囲の外側にあるか否かを判断して、前記位置および前記所定の範囲を表示するとともに、表示の色により前記判断の結果を表示するステップ（１４）と、
を含む方法。
【国際調査報告】
2008078358.tif 000010
2008078358.tif 000011
2008078358.tif 000012